(57)【特許請求の範囲】
【請求項１】
入力された一の光波長多重信号を増幅する光増幅器（４１）と、
該光増幅器により増幅された光波長多重信号を２個の光波長多重信号へ分岐する第１の光分岐器（５１）と、
該第１の光分岐器（５１）により分岐された光波長多重信号の正分散の補償する信号の最大公約の量の補償を行う第１の正分散補償ファイバ（６１）と、
該第１の正分散補償ファイバ（６１）により補償された光波長多重信号を複数の光波長多重信号に分岐する第２の光分岐器（５２）と、
該第２の光分岐器（５２）により分岐された光波長多重信号の内、前記第１の正分散補償ファイバ（６１）により正分散の補償が行われた光波長多重信号の各々の信号にさらに正分散の補償を行う複数の第２の正分散補償ファイバ（６２、６３、６４）と、
前記第１の光分岐器（５１）により分岐された光波長多重信号の負分散の補償する信号の最大公約の量の補償を行う第１の負分散補償ファイバ（６５）と、
該第１の負分散補償ファイバ（６５）により補償された光波長多重信号を複数の光波長多重信号に分岐する第３の光分岐器（５３）と、
該第３の光分岐器（５３）により分岐された光波長多重信号の内、前記第１の負分散補償ファイバ（６５）により負分散の補償が行われた光波長多重信号の各々の信号にさらに負分散の補償を行う複数の第２の負分散補償ファイバ（６６、６７、６８）と、
前記第２の正分散補償ファイバ（６２、６３、６４）及び前記第２の負分散補償ファイバ（６６、６７、６８）により補償された光波長多重信号を各々の信号に分離する信号数分の光波長分離器（７１〜７８）とを有し、
前記第２の正分散補償ファイバ（６２、６３、６４）は、前記第２の光分岐器（５２）と前記光波長分離器（７１〜７３）との間の、前記第１の正分散補償ファイバ（６１）により補償されて零分散となった信号以外の信号のみに対応して配置され、また、前記第２の負分散補償ファイバ（６６、６７、６８）は、前記第３の光分岐器（５３）と前記光波長分離器（７６〜７８）との間の、前記第１の負分散補償ファイバ（６５）により補償されて零分散となった信号以外の信号のみに対応して配置され、
前記第１の正分散補償ファイバ（６１）により補償されて零分散となった信号は、前記第２の光分岐器（５２）から前記光波長分離器（７４）に入力され、前記第１の負分散補償ファイバ（６５）により補償されて零分散となった信号は、前記第３の光分岐器（５３）から前記光波長分離器（７５）に入力され、
光波長信号間の光波長分離処理を相互に独立させ、一の光波長分離器の障害が他の波長分離対象の光信号へ及ぼす影響を無くしたことを特徴とする光波長多重分離システム。
【請求項２】
入力された一の光波長多重信号を増幅する増幅工程と、
該増幅工程により増幅された光波長多重信号を２個の光波長多重信号へ分岐する第１の光分岐工程と、
該第１の光分岐工程により２個に分岐された光波長多重信号の一方に正分散補償する信号の最大公約の量の補償を行い、他方に負分散補償する信号の最大公約の量の補償を行う第１の分散補償工程と、
該第１の分散補償工程により補償された２個の光波長多重信号のそれぞれの信号を複数の光波長多重信号に分岐する第２の光分岐工程と、
該第２の光分岐工程により分岐された正分散の補償が行われた光波長多重信号の各々の信号に正分散の補償を行い、負分散の補償が行われた光波長多重信号の各々の信号に負分散の補償を行う第２の分散補償工程と、
該第２の分散補償工程により補償された光波長多重信号を各々の信号に分離する光波長分離工程とを有し、
前記第２の分散補償工程は、前記第１の分散補償工程による補償により零分散となった信号以外の信号に対してのみ補償を行い、
光波長信号間の光波長分離工程を相互に独立させ、一の光波長分離工程の障害が他の波長分離対象の光信号へ及ぼす影響を無くしたことを特徴とする光波長多重分離方法。
【発明の詳細な説明】
【０００１】
【発明の属する技術分野】
本発明は、光多重通信に適用される光波長多重分離システムおよび光波長多重分離方法に関する。
【０００２】
【従来の技術】
従来、光波長多重分離システムおよび光波長多重分離方法は一般に、分散補償ファイバ、光増幅器、および光波長分離器を直列に接続した構成にて光波長分離を行っている。
【０００３】
図２は、従来の一般的な光波長多重分離システムおよび光波長多重分離方法の一構成例を示すブロック図である。この従来の光波長多重分離システムおよび光波長多重分離方法は、８個の分散補償ファイバ１１〜１８と、３個の光増幅器２１〜２３と、８個の光波長分離器３１〜３８とが直列に接続されて構成される。この従来例では、８個の光波長１〜８を入力信号としている。
【０００４】
上記構成の従来の光波長多重分離伝送システムの分散補償ファイバへ、光波長多重信号が入力される。分散補償ファイバ１１〜１８では、正分散もしくは負分散どちらか一方の分散補償を行い、光増幅器２１〜２３へ出力する。
【０００５】
光増幅器２１〜２３では、光波長多重信号を増幅し、光波長分離器３１〜３８へ出力する。光波長分離器３１〜３８では、光波長多重信号から該当光波長だけを抽出し、光波長分離器３１〜３８を透過した、つまり該当光波長を除いた光波長多重信号を分散補償ファイバ１１〜１８へ出力する。
【０００６】
以後、分散補償ファイバ１１〜１８、光波長分離器３１〜３８および光増幅器２１〜２３を用いて、光波長多重信号から各該当光波長を抽出するまでの方式については、上記と同様のため重複する説明を省略する。
【０００７】
本発明と技術分野の類似する従来例２として特開平９−１１６４９３号公報の「波長多重伝送システム」がある。本従来例２の実施例では、一つの光分波カプラで３個の光波長分離を行っている。
【０００８】
その他の従来例４として特開平９−３２６７５９号公報の「光波長多重システムにおける光分波装置」、同従来例５として特開平１０−１４５２９８号公報の「波長多重通信用分波装置」等がある。
【０００９】
【発明が解決しようとする課題】
しかしながら、上記の各従来例では、例えば、光波長分離を行う光波長分離器に障害が発生した場合、該当光波長分離器を透過した光波長多重信号にも障害が波及する。このため、該当光波長および該当光波長以外の光波長にも通信異常が生じ通信品質が劣化する。さらに、光波長分離方式の構成上、正分散もしくは負分散どちらか一方の分散補償しか対応できない問題を伴う。
【００１０】
本発明は、一の光波長分離器の障害が他の波長分離対象の光信号に影響を及ぼさない光波長多重分離システムおよび光波長多重分離方法を提供することを目的とする。
【００１１】
【課題を解決するための手段】
かかる目的を達成するため、請求項１記載の発明の光波長多重分離システムは、入力された一の光波長多重信号を増幅する光増幅器（４１）と、この光増幅器により増幅された光波長多重信号を２個の光波長多重信号へ分岐する第１の光分岐器（５１）と、第１の光分岐器（５１）により分岐された光波長多重信号の正分散の補償する信号の最大公約の量の補償を行う第１の正分散補償ファイバ（６１）と、第１の正分散補償ファイバ（６１）により補償された光波長多重信号を複数の光波長多重信号に分岐する第２の光分岐器（５２）と、第２の光分岐器（５２）により分岐された光波長多重信号の内、前記第１の正分散補償ファイバ（６１）により正分散の補償が行われた光波長多重信号の各々の信号にさらに正分散の補償を行う複数の第２の正分散補償ファイバ（６２、６３、６４）と、第１の光分岐器（５１）により分岐された光波長多重信号の負分散の補償する信号の最大公約の量の補償を行う第１の負分散補償ファイバ（６５）と、第１の負分散補償ファイバ（６５）により補償された光波長多重信号を複数の光波長多重信号に分岐する第３の光分岐器（５３）と、第３の光分岐器（５３）により分岐された光波長多重信号の内、第１の負分散補償ファイバ（６５）により負分散の補償が行われた光波長多重信号の各々の信号にさらに負分散の補償を行う複数の第２の負分散補償ファイバ（６６、６７、６８）と、第２の正分散補償ファイバ（６２、６３、６４）及び第２の負分散補償ファイバ（６６、６７、６８）により補償された光波長多重信号を各々の信号に分離する信号数分の光波長分離器（７１〜７８）とを有し、第２の正分散補償ファイバ（６２、６３、６４）は、第２の光分岐器（５２）と光波長分離器（７１〜７３）との間の、第１の正分散補償ファイバ（６１）により補償されて零分散となった信号以外の信号のみに対応して配置され、また、第２の負分散補償ファイバ（６６、６７、６８）は、第３の光分岐器（５３）と光波長分離器（７６〜７８）との間の、第１の負分散補償ファイバ（６５）により補償されて零分散となった信号以外の信号のみに対応して配置され、第１の正分散補償ファイバ（６１）により補償されて零分散となった信号は、第２の光分岐器（５２）から光波長分離器（７４）に入力され、第１の負分散補償ファイバ（６５）により補償されて零分散となった信号は、第３の光分岐器（５３）から光波長分離器（７５）に入力され、光波長信号間の光波長分離処理を相互に独立させ、一の光波長分離器の障害が他の波長分離対象の光信号へ及ぼす影響を無くしたことを特徴としている。
【００１２】
請求項２記載の発明の光波長多重分離方法は、入力された一の光波長多重信号を増幅する増幅工程と、この増幅工程により増幅された光波長多重信号を２個の光波長多重信号へ分岐する第１の光分岐工程と、第１の光分岐工程により２個に分岐された光波長多重信号の一方に正分散補償する信号の最大公約の量の補償を行い、他方に負分散補償する信号の最大公約の量の補償を行う第１の分散補償工程と、第１の分散補償工程により補償された２個の光波長多重信号のそれぞれの信号を複数の光波長多重信号に分岐する第２の光分岐工程と、第２の光分岐工程により分岐された正分散の補償が行われた光波長多重信号の各々の信号に正分散の補償を行い、負分散の補償が行われた光波長多重信号の各々の信号に負分散の補償を行う第２の分散補償工程と、第２の分散補償工程により補償された光波長多重信号を各々の信号に分離する光波長分離工程とを有し、第２の分散補償工程は、第１の分散補償工程による補償により零分散となった信号以外の信号に対してのみ補償を行い、光波長信号間の光波長分離工程を相互に独立させ、一の光波長分離工程の障害が他の波長分離対象の光信号へ及ぼす影響を無くしたことを特徴としている。
【００１３】
【発明の実施の形態】
次に、添付図面を参照して本発明による光波長多重分離システムおよび光波長多重分離方法の実施の形態を詳細に説明する。図１を参照すると、本発明の光波長多重分離システムおよび光波長多重分離方法の一実施形態が示されている。
【００１４】
図１は、本発明の実施形態の構成を示すブロック図である。なお、本説明は、一例として８種類の光波長の場合について記述しているが、図１の基本的な構成を用いることにより、８種類の光波長以外の光多波長にも対応が可能である。
【００１５】
本実施形態の光波長多重分離システムおよび光波長多重分離方法は、一個の光増幅器４１と、３個の光分岐器５１〜５３と、８個の分散補償ファイバ６１〜６８と、８個の光波長分離器７１〜７８とにより構成される。
【００１６】
光増幅器４１は、光波長多重信号の伝送路による損失や光波長分離に伴う光信号の損失を補償するため、入力された光波長多重信号を増幅する。
【００１７】
光分岐器５１〜５３は、光波長多重信号を分岐および多分岐する。分散補償ファイバ６１〜６８は、正分散および負分散の分散補償を行う。光波長分離器７１〜７８は、光波長多重信号から該当波長だけを抽出する。
【００１８】
（動作例の説明）
上記に構成される本実施形態の光波長多重分離システムおよび光波長多重分離方法では、光増幅器４１へ光波長多重信号を入力する。光増幅器４１では、光波長多重信号の伝送路による損失や光波長分離に伴う光信号の損失を補償するために、入力された光波長多重信号を光増幅し、光分岐器５１へ出力する。
【００１９】
光分岐器５１では、正分散ならびに負分散の分散補償を行うために、光波長多重信号を正分散ならびに負分散の光信号に分岐する。分岐したそれぞれの光信号を、正分散の分散補償ファイバ６１と負分散の分散補償ファイバ６５へ出力する。以降においては、一例として、正分散の分散補償を行う光波長λ１からλ４までの光波長分離方式について述べる。
【００２０】
分散補償ファイバ６１では、光波長多重信号の正分散の分散補償を行う。ここにおける分散補償は、効率良く使用するため波長λ１からλ４の各分散補償量の最大公約の分散補償を行い、光分岐器５２へ出力する。
【００２１】
光分岐器５２では、正分散の分散補償を行った光波長多重信号を多分岐し、光波長分離器７４と分散補償ファイバ６２〜６４へ出力する。
【００２２】
分散補償ファイバ６２〜６４では、既に分散補償ファイバ６１にて最大公約の正分散の分散補償が行われているため、個別に正分散の分散補償を行い光波長分離器７１〜７３へ出力する。
【００２３】
光波長分離器７１〜７４では、光波長多重信号から該当波長だけを抽出する。なお、負分散の分散補償を行う光波長λ５〜λ８の光波長分離方式については、分散補償の正分散と負分散の違いだけであり、上記と同様な内容である。このため、重複する説明を省略する。
【００２４】
上記の実施形態によれば、下記の効果を得ることができる。
第１に、光分岐器を用いた光波長分離方式の構成により、光分岐器にて光波長多重信号を多分岐し、それぞれ個別に光波長分離を行う。このため、例えば、光波長分離を行う何れかの光波長分離器に障害が発生した場合でも、該当波長だけが通信異常となり、障害の発生していない他の光波長信号への通信品質の劣化の波及を防止することができる。
【００２５】
第２に、光分岐器を用いた光波長分離方式の構成により、光分岐器にて光波長多重信号を分岐することが可能である。このため、正分散および負分散の分散補償の対応が可能である。
【００２６】
第３に、光分岐器を用いた光波長分離方式により、光波長分離にともなう光信号の損失を低減化できる構成である。さらに、分散補償ファイバにて正分散および負分散の各分散補償量の最大公約の分散補償を行うことが可能である。この構成では、光増幅器や分散補償ファイバを効率良く使用できるため、光増幅器や分散補償ファイバの使用台数を削減できる。
【００２７】
尚、上述の実施形態は本発明の好適な実施の一例である。但し、これに限定されるものではなく、本発明の要旨を逸脱しない範囲内において種々変形実施が可能である。
【００２８】
【発明の効果】
以上の説明より明らかなように、本発明の光波長多重分離システムおよび光波長多重分離方法は、入力された一の光波長多重信号をｎ個（ｎは２以上の自然数）の光信号へ分岐し、分岐された光波長多重信号を入力しそれぞれに欲する光波長の光波長信号を抽出して出力し、これらの光分岐と光波長分離とを結合処理し、一の光波長信号と一の光波長分離とを対として処理する。よって、一の光波長分離により出力される一の光波長信号と他の光波長分離により出力される他の光波長信号間の光波長分離処理が相互に独立する。この結果、一の光波長分離器の障害が他の波長分離対象の光信号に影響を及ぼすことが無い。
【図面の簡単な説明】
【図１】本発明の光波長多重分離システムの実施形態を示すブロック図である。
【図２】一般的な従来の光波長多重分離システムの構成例を示すブロック図である。
【符号の説明】
１１〜１８  正分散もしくは負分散の分散補償ファイバ
２１〜２３、４１  光増幅器
３１〜３８、７１〜７８  光波長分離器
５１〜５３  光分岐器
６１〜６４  正分散の分散補償ファイバ
６５〜６８  負分散の分散補償ファイバ
【図１】
0003678597.tif 000002
【図２】
0003678597.tif 000003